(57)【要約】【課題】一例として、ユーザが自分で登録した画像群のみを対象にして関連情報を抽出することが可能な方法を得る。【解決手段】実施形態による方法は、一例として、複数の画像を記憶部に記憶し、複数の画像のうち少なくとも１以上の画像に対して、その画像に関連する関連情報を登録し、複数の画像の中の第１画像と、撮像部により撮像される第２画像とが互いに対応する場合に、第１画像の第１関連情報または第１関連情報により取得可能な情報を表示部に表示する。【選択図】図８
2015041340.tif 000002
【特許請求の範囲】
【請求項１】
複数の画像を記憶部に記憶し、
前記複数の画像のうち少なくとも１以上の画像に対して、その画像に関連する関連情報を登録し、
前記複数の画像の中の第１画像と、撮像部により撮像される第２画像とが互いに対応する場合に、前記第１画像の第１関連情報または前記第１関連情報により取得可能な情報を表示部に表示する、方法。
【請求項２】
前記第１関連情報は、前記第１画像のアップロード先であるｗｅｂページのアドレス情報に関する情報である、請求項１に記載の方法。
【請求項３】
前記第１関連情報は、前記第１画像の少なくとも一部が有する特徴に関する情報である、請求項１に記載の方法。
【請求項４】
前記第１関連情報は、前記第１画像が撮像された日時、または、前記第１画像が撮像された場所のうちいずれか１以上に関する情報である、請求項３に記載の方法。
【請求項５】
前記第１関連情報が前記第１画像に対して登録されるタイミングは、前記第１画像が前記撮像部により撮像されて前記記憶部に記憶されるタイミングよりも後である、請求項１〜４のいずれか１項に記載の方法。
【請求項６】
記憶部に記憶された複数の画像のうち少なくとも１以上の画像に対して、その画像に関連する関連情報を登録する記憶制御部と、
前記複数の画像の中の第１画像と、撮像部により撮像される第２画像とが互いに対応する場合に、前記第１画像の第１関連情報または前記第１関連情報により取得可能な情報を表示部に表示する表示制御部とを備える、電子機器。
【請求項７】
前記第１関連情報は、前記第１画像のアップロード先であるｗｅｂページのアドレス情報に関する情報である、請求項６に記載の電子機器。
【請求項８】
前記第１関連情報は、前記第１画像の少なくとも一部が有する特徴に関する情報である、請求項６に記載の電子機器。
【請求項９】
前記第１関連情報は、前記第１画像が撮像された日時、または、前記第１画像が撮像された場所のうちいずれか１以上に関する情報である、請求項８に記載の電子機器。
【請求項１０】
前記第１関連情報が前記第１画像に対して登録されるタイミングは、前記第１画像が前記撮像部により撮像されて前記記憶部に記憶されるタイミングよりも後である、請求項６〜９のいずれか１項に記載の電子機器。
【請求項１１】
複数の画像を記憶部に記憶することと、
前記複数の画像のうち少なくとも１以上の画像に対して、その画像に関連する関連情報を登録することと、
前記複数の画像の中の第１画像と、撮像部により撮像される第２画像とが互いに対応する場合に、前記第１画像の第１関連情報または前記第１関連情報により取得可能な情報を表示部に表示することとをコンピュータに実行させるための、プログラム。
【請求項１２】
前記第１関連情報は、前記第１画像のアップロード先であるｗｅｂページのアドレス情報に関する情報である、請求項１１に記載のプログラム。
【請求項１３】
前記第１関連情報は、前記第１画像の少なくとも一部が有する特徴に関する情報である、請求項１１に記載のプログラム。
【請求項１４】
前記第１関連情報は、前記第１画像が撮像された日時、または、前記第１画像が撮像された場所のうちいずれか１以上に関する情報である、請求項１３に記載のプログラム。
【請求項１５】
前記第１関連情報が前記第１画像に対して登録されるタイミングは、前記第１画像が前記撮像部により撮像されて前記記憶部に記憶されるタイミングよりも後である、請求項１１〜１４のいずれか１項に記載のプログラム。
【発明の詳細な説明】
【技術分野】
【０００１】
本発明の実施形態は、方法、電子機器およびプログラムに関する。
【背景技術】
【０００２】
従来、ｗｅｂ画像検索を行うことが可能なサーバに画像を送信することにより、送信した画像と同一または類似の画像に関連する関連情報をサーバから取得する技術が知られている。
【先行技術文献】
【特許文献】
【０００３】
【特許文献１】特開２０１２−１５５３６２号公報
【発明の概要】
【発明が解決しようとする課題】
【０００４】
上記のような従来技術では、ｗｅｂ画像検索技術が用いられているため、検索対象のデータベースが、関連情報の取得要求を行ったユーザによって変化することがない。このため、従来技術では、たとえばユーザが自分で撮像（登録）した画像群のみを対象にして関連情報を抽出することが困難であった。
【課題を解決するための手段】
【０００５】
実施形態による方法は、一例として、複数の画像を記憶部に記憶し、複数の画像のうち少なくとも１以上の画像に対して、その画像に関連する関連情報を登録し、複数の画像の中の第１画像と、撮像部により撮像される第２画像とが互いに対応する場合に、第１画像の第１関連情報または第１関連情報により取得可能な情報を表示部に表示する。
【図面の簡単な説明】
【０００６】
【図１】図１は、本実施形態によるタブレットコンピュータ（電子機器）の外観の一例を示した図である。
【図２】図２は、図１に示したタブレットコンピュータの内部構成の一例を示したブロック図である。
【図３】図３は、本実施形態によるタブレットコンピュータによって実行される関連情報表示プログラムの機能的な構成の一例を示したブロック図である。
【図４】図４は、本実施形態によるタブレットコンピュータによって関連情報表示プログラムが実行される際に表示部に表示される画面の遷移の一例を説明するための図である。
【図５】図５は、本実施形態によるタブレットコンピュータによって関連情報表示プログラムが実行される際に表示部に表示される画面の遷移の一例を説明するための図である。
【図６】図６は、本実施形態によるタブレットコンピュータによって関連情報表示プログラムが実行される際に表示部に表示される画面の遷移の一例を説明するための図である。
【図７】図７は、本実施形態によるタブレットコンピュータのカメラモジュールによって画像が撮像された際にＣＰＵにより実行される処理フローの一例を示したフローチャートである。
【図８】図８は、本実施形態によるタブレットコンピュータの表示部に関連情報が表示される際にＣＰＵにより実行される処理フローの一例を示したフローチャートである。
【図９】図９は、本実施形態の変形例によるタブレットコンピュータの表示部に関連情報が表示された状態の一例を示した図である。
【発明を実施するための形態】
【０００７】
以下、実施形態を図面に基づいて説明する。
【０００８】
まず、図１〜図４を参照して、本実施形態による電子機器の構成の一例について説明する。この電子機器は、タブレットコンピュータや、ノートブック型パーソナルコンピュータや、スマートフォンや、ＰＤＡ（携帯情報端末）や、デジタルカメラなどの各種電子機器に内蔵される組み込みシステムとして実現されうる。以下では、この電子機器がタブレットコンピュータ１０として実現されている場合について説明する。なお、タブレットコンピュータ１０とは、タブレットまたはスマートコンピュータと称される携帯型の電子機器（情報処理装置）である。
【０００９】
図１に示すように、タブレットコンピュータ１０は、本体部１１と、表示部１７とを備える。本体部１１は、薄い箱型の筐体を有する。表示部１７には、フラットパネルディスプレイと、フラットパネルディスプレイの画面上のペンまたは指の接触位置を検出するように構成されたセンサとが組み込まれている。
【００１０】
上記フラットパネルディスプレイとしては、たとえばＬＣＤ（液晶表示装置）１７Ａ（図２参照）が用いられる。また、上記センサとしては、たとえば静電容量式のタッチパネル１７Ｂ（図２参照）が用いられる。なお、上記センサとしては、電磁誘導方式のデジタイザなどを用いることも可能である。また、図１には図示されていないが、本体部１１の背面には、画像（写真）を撮像するためのカメラモジュール１０９（図２参照）が設けられている。
【００１１】
また、図２に示すように、タブレットコンピュータ１０は、ＣＰＵ１０１と、表示部１７と、システムコントローラ１０２と、主メモリ１０３と、グラフィクスコントローラ１０４と、ＢＩＯＳ−ＲＯＭ１０５と、不揮発性メモリ１０６と、無線通信デバイス１０７と、ＧＰＳユニット１０８と、カメラモジュール１０９を主として備える。なお、ＣＰＵ１０１は、「記憶制御部」および「表示制御部」の一例である。また、不揮発性メモリ１０６およびカメラモジュール１０９は、それぞれ、「記憶部」および「撮像部」の一例である。
【００１２】
表示部１７は、静止画や動画などの映像が表示されるＬＣＤ１７Ａと、タブレットコンピュータ１０に対する各種操作（タッチ操作）を行うための操作部として機能するタッチパネル１７Ｂとを有する。
【００１３】
また、ＣＰＵ１０１は、タブレットコンピュータ１０内の各種モジュールの動作を制御するように構成されている。このＣＰＵ１０１は、ストレージデバイスである不揮発性メモリ１０６から主メモリ１０３にロードされる各種ソフトウェアを実行するように構成されている。これらのソフトウェアには、ＯＳ（オペレーティングシステム）２０１や各種アプリケーションプログラムなどが含まれている。本実施形態では、アプリケーションプログラムとして、後述する関連情報表示プログラム２０２が含まれている。
【００１４】
また、ＣＰＵ１０１は、ＢＩＯＳ−ＲＯＭ１０５に格納された基本入出力システムプログラム（ＢＩＯＳプログラム）も実行するように構成されている。なお、ＢＩＯＳプログラムとは、ハードウェアの制御を行うためのプログラムである。
【００１５】
システムコントローラ１０２は、ＣＰＵ１０１のローカルバスと各種コンポーネントとの間を接続するデバイスである。このシステムコントローラ１０２には、主メモリ１０３に対するアクセスを制御するためのメモリコントローラなどが内蔵されている。また、システムコントローラ１０２は、ＰＣＩ  ＥＸＰＲＥＳＳ（登録商標）などの規格に準拠したシリアルバスなどを介してグラフィクスコントローラ１０４との間の通信を実行する機能を有する。
【００１６】
グラフィクスコントローラ１０４は、タブレットコンピュータ１０のディスプレイモニタとして用いられるＬＣＤ１７Ａを制御する表示コントローラである。ＬＣＤ１７Ａは、グラフィクスコントローラ１０４から入力される表示信号に基づいて画面イメージ（静止画や動画などの映像）を表示するように構成されている。
【００１７】
なお、無線通信デバイス１０７は、無線ＬＡＮまたは３Ｇ移動通信などの無線通信を実行するためのデバイスである。また、ＧＰＳユニット１０８は、人工衛星を利用して現在位置を測定するためのデバイスである。また、カメラモジュール１０９は、画像（写真）を撮像するためのデバイスである。
【００１８】
ここで、本実施形態では、不揮発性メモリ１０６は、画像（第１画像）と、この第１画像に関連する関連情報とを互いに対応付けて登録（記憶）することが可能なように構成されている。なお、第１画像は、カメラモジュール１０９によって撮像された画像であってもよいし、ネットワークを介してダウンロードされた画像であってもよい。
【００１９】
関連情報とは、たとえば第１画像が有する特徴である。より具体的には、関連情報とは、第１画像が撮像された日時や、第１画像が撮像された場所や、第１画像に映っている対象物（人物）に関する情報などである。このような関連情報は、ユーザの手動の入力操作に基づいて不揮発性メモリ１０６に登録される場合もあるし、ＣＰＵ１０１の自動制御に基づいて不揮発性メモリ１０６に登録される場合もある。本実施形態では、一例として、ＣＰＵ１０１は、不揮発性メモリ１０６に記憶された複数の画像のうち少なくとも１以上の画像に対して、その画像に関連する関連情報を自動で登録するように構成されている。すなわち、ＣＰＵ１０１は、カメラモジュール１０９により第１画像が撮像された場合に、第１画像の関連情報（第１画像が有する特徴など）を自動的に抽出し、抽出した関連情報を第１画像と対応付けて不揮発性メモリ１０６に登録する制御を行うように構成されている。このように構成すれば、ユーザが関連情報を手動で入力するひつよう作業負担を軽減することができる。なお、画像の特徴を抽出する手法については、後述する。
【００２０】
ここで、関連情報は、第１画像が有する特徴に制限されるものではなく、第１画像に関連する情報であればよい。したがって、たとえばユーザが第１画像をウェブログなどのｗｅｂページにアップロードした場合には、そのアップロード先のアドレス情報（ＵＲＬなど）が第１画像に対応する関連情報として不揮発性メモリ１０６に登録されてもよい。たとえば、ユーザがｗｅｂサーバにアクセスしてウェブログ（ｗｅｂページ）の更新を行う際には、タブレットコンピュータ１０の無線通信デバイス１０７は、そのｗｅｂサーバに第１画像を送信する。そして、タブレットコンピュータ１０は、第１画像と、第１画像のアップロード先であるウェブログのＵＲＬなどのアドレス情報とを互いに対応付けて不揮発性メモリ１０６に登録する。
【００２１】
なお、関連情報は、第１画像が撮像された場所の具体的な説明が示されたｗｅｂページなどであってもよい。このように、本実施形態では、タブレットコンピュータ１０とは異なる外部機器に記憶されているデータを関連情報として第１画像に対応付けることもできる。
【００２２】
さらに、関連情報は、第１画像が有する特徴や、第１画像のアップロード先のアドレス情報などのテキストデータに制限されるものではなく、音楽データなどのバイナリデータであってもよい。したがって、たとえば第１画像が撮像された場所で聞いた音楽が第１画像に対応する関連情報として不揮発性メモリ１０６に登録されてもよい。
【００２３】
このように、本実施形態によれば、ユーザが日常で頻繁に画像を撮像する場合に、撮像した画像を種々の関連情報と対応付けることができるので、ユーザの生活・行い・体験をタブレットコンピュータ１０により一括して記録・管理することができる。これにより、画像を用いたいわゆるライフログサービスを実現することができる。
【００２４】
本実施形態では、ＣＰＵ１０１は、不揮発性メモリ１０６に記憶された複数の画像の中の第１画像と、カメラモジュール１０９により撮像される第２画像とが互いに対応する場合に、第１画像の関連情報（第１関連情報）、または、この第１関連情報により取得可能な情報を表示部１７に表示する制御を行うように構成されている。より具体的には、ＣＰＵ１０１は、ユーザが対象物に向けてカメラモジュール１０９をかざすことによって対象物の画像がカメラモジュール１０９を介して取得された場合に、その対象物の画像（第２画像）と同一または類似の画像（第１画像）に対応する関連情報を不揮発性メモリ１０６から抽出し、抽出した関連情報を表示部１７に表示する制御を行うように構成されている。なお、第２画像と同一または類似の第１画像とは、所定値以上の一致率で特徴が第２画像と一致する第１画像のことであり、たとえば、第２画像と同じ日時に撮像された第１画像や、第２画像と同じ場所で撮像された画像や、第２画像と同じ対象物（人物）が写っている第１画像などである。
【００２５】
本実施形態では、一例として、図４に示すような第２画像ＩＭ１１がカメラモジュール１０９を介して取得された場合、ＣＰＵ１０１は、第２画像ＩＭ１１を含む画像ＩＭ１を表示部１７に表示する制御を行うように構成されている。この図４に示した画像ＩＭ１には、第２画像ＩＭ１１の背景画像として、第２画像ＩＭ１１と同一または類似の複数（６個）の第１画像ＩＭ１２〜ＩＭ１７と、これら６個の第１画像ＩＭ１２〜ＩＭ１７にそれぞれ対応する６個の関連情報（「ａａａ」〜「ｆｆｆ」という文字列）とがテキストデータとして表示されている。
【００２６】
すなわち、本実施形態では、図４に示すように、ＣＰＵ１０１は、カメラモジュール１０９を介して第２画像ＩＭ１１が取得された場合、第２画像ＩＭ１１を表示部１７に表示する制御と平行して、第２画像ＩＭ１１と同一または類似の第１画像ＩＭ１２〜ＩＭ１７の関連情報を不揮発性メモリ１０６から抽出し、抽出した関連情報とともに第１画像ＩＭ１２〜ＩＭ１７を表示部１７に表示する制御を行うことが可能なように構成されている。
【００２７】
また、本実施形態では、ＣＰＵ１０１は、上記図４に示した画像ＩＭ１から第２画像ＩＭ１１を消去した画像ＩＭ２（図５参照）を表示部１７に表示させることとも可能なように構成されている。すなわち、本実施形態では、図５に示すように、ＣＰＵ１０１は、第１画像ＩＭ１２〜ＩＭ１７と、これらの第１画像ＩＭ１２〜ＩＭ１７にそれぞれ対応する関連情報（「ａａａ」〜「ｆｆｆ」という文字列）とのみが表示された画像ＩＭ２を表示部１７に表示する制御を行うことも可能なように構成されている。
【００２８】
なお、表示部１７に表示された関連情報が第１画像のアップロード先のｗｅｂページのアドレス情報である場合には、上記図４に示した画像ＩＭ１や図５に示した画像ＩＭ２上に関連情報として表示される文字列（「ａａａ」〜「ｆｆｆ」という文字列）は、上記ｗｅｂページのＵＲＬなどのアドレス情報になる。そして、ユーザは、関連情報として表示されたアドレス情報を選択する操作を行うことによって、そのアドレス情報で示されるｗｅｂページにアクセスすることができる。この場合、たとえば図６に示すように、第１画像ＩＭ１２のアップロード先のｗｅｂページや、第１画像ＩＭ１２の説明などが示されたｗｅｂページなどを含む画像ＩＭ３が表示部１７に表示される。
【００２９】
ここで、上記図４〜図６では、第２画像ＩＭ１１と、第１画像ＩＭ１２〜ＩＭ１７とが、「山が写っている」という点において互いに共通した特徴を有している例を示したが、本実施形態はこれに限らない。本実施形態では、第２画像ＩＭ１１と、第１画像ＩＭ１２〜ＩＭ１７とが、「同一人物が写っている」という点において互いに共通した特徴を有していてもよい。この場合、タブレットコンピュータ１０は、不揮発性メモリ１０６や、外部のクラウドサーバなどに記憶された複数の画像（第１画像）の中から、人物の顔が映っている第１画像を抽出する。そして、タブレットコンピュータ１０は、抽出した第１画像から顔の特徴を抽出し、抽出した顔の特徴を関連情報として登録する。
【００３０】
このような構成においては、タブレットコンピュータ１０は、ユーザがカメラモジュール１０９をかざすことにより取得した第２画像に人物が写っている場合に、その第２画像に写っている人物の顔の特徴を抽出する。そして、タブレットコンピュータ１０は、第２画像に移っている人物の顔の特徴と、上記において関連情報として登録した第１画像に写っている人物の顔の特徴とのマッチングをとり、それらの特徴が互いに対応関係にあるか否かを判定する。すなわち、タブレットコンピュータ１０は、第２画像に写っている人物と第１画像に写っている人物とが同一人物であるか否かを判定する。そして、タブレットコンピュータ１０は、不揮発性メモリ１０７などに記憶された複数の第１画像を、同一人物が写っているか否かに基づいてグループ化する。そして、タブレットコンピュータ１０は、第２画像に写っている人物と同一人物が写っている第１画像のグループ化を表示部１７に一覧表示する。
【００３１】
なお、関連情報が第１画像に対応付けられた音楽などのバイナリデータの場合には、上記図４に示した画像ＩＭ１や図５に示した画像ＩＭ２上に関連情報として表示される文字列（「ａａａ」〜「ｆｆｆ」という文字列）は、上記バイナリデータを表すファイル名になる。そして、ユーザは、関連情報として表示されたファイル名を選択する操作を行うことによって、そのファイル名に対応するバイナリデータ（たとえば音楽データ）を視聴できる。
【００３２】
また、上記図４および図５に示した例では、関連情報として「ａａａ」〜「ｆｆｆ」という文字列が表示された例を示したが、本実施形態は、関連情報がｗｅｂページであって、かつ、そのｗｅｂページのキャッシュなどがタブレットコンピュータ１０に記憶されている場合において、そのキャッシュなどから生成されたサムネイル画像が関連情報として表示されるような構成であってもよい。
【００３３】
ここで、上記のようなＣＰＵ１０１の処理は、不揮発性メモリ１０６に記憶された関連情報表示プログラム２０２（図３参照）に基づいて行われる。図３に示すように、関連情報表示プログラム２０２は、画像取得部５１と、特徴抽出部５２と、比較部５３と、関連情報出力部５４と、表示制御部５５とを主として備える。
【００３４】
画像取得部５１は、ユーザが対象物に向けてカメラモジュール１０９をかざした場合に、その対象物の画像（第２画像）を取得する機能を有する。また、特徴抽出部５２は、画像取得部５１により取得された第２画像の特徴を抽出する機能を有する。この特徴抽出部５２は、第２画像の特徴が抽出される際のみならず、過去に不揮発性メモリ１０６に登録された第１画像（カメラモジュール１０９によって実際に撮像された画像など）の特徴が抽出される際にも用いられる。なお、画像の特徴を抽出する手法としては、たとえば、領域ベースエッジ画像認識技術に基づく特徴検出や、ＨＯＧ（Ｈｉｓｔｏｇｒａｍｓ  ｏｆ  Ｏｒｉｅｎｔｅｄ  Ｇｒａｄｉｅｎｔｓ）などの特徴量に基づく特徴検出などが挙げられる。これらの手法を用いることにより、たとえばＱＲコード（登録商標）のような特殊な情報が付加されていない画像に対しても特徴検出を行うことができる。
【００３５】
また、比較部５３は、画像取得部５１により取得された第２画像の特徴と、不揮発性メモリ１０６に登録された全ての第１画像の特徴とをそれぞれ比較して、所定値以上の一致率で特徴が第２画像と一致する第１画像を不揮発性メモリ１０６から抽出する機能を有する。また、関連情報出力部５４は、比較部５３により抽出された第１画像（所定値以上の一致率で特徴が第２画像と一致する第１画像）に対応する関連情報を不揮発性メモリ１０６から読み出して出力する機能を有する。また、表示制御部５５は、関連情報出力部５４により出力された関連情報を表示部１７に表示させるようにグラフィクスコントローラ１０４を制御する機能を有する。
【００３６】
次に、図７を参照して、本実施形態によるタブレットコンピュータ１０のカメラモジュール１０９によって画像（第１画像）が撮像された際にＣＰＵ１０１により実行される処理フローの一例について説明する。
【００３７】
この処理フローでは、まず、図７に示すように、ステップＳ１において、カメラモジュール１０９によって撮像された第１画像の特徴を抽出する処理が実行され、ステップＳ２に進む。
【００３８】
次に、ステップＳ２において、上記ステップＳ１の処理により抽出された特徴を関連情報として、この関連情報を第１画像と対応付けて不揮発性メモリ１０６に登録（記憶）する処理が実行される。なお、このとき、ユーザが手動で関連情報を入力するのを受け付けて、入力された関連情報を第１画像と対応付けて不揮発性メモリ１０６に登録する処理が実行されてもよい。これにより、第１画像と関連情報とが互いに対応付けられた状態で不揮発性メモリ１０６に登録され、処理が終了する。
【００３９】
次に、図８を参照して、本実施形態によるタブレットコンピュータ１０の表示部１７に関連情報が表示される際にＣＰＵ１０１により実行される処理フローの一例について説明する。この処理フローは、ユーザが対象物に向けてカメラモジュール１０９をかざすことによって対象物の画像（第２画像）がカメラモジュール１０９を介して取得された場合に開始する。
【００４０】
この処理フローでは、まず、図８に示すように、ステップＳ１１において、カメラモジュール１０９を介して取得された第２画像の特徴を抽出する処理が実行され、ステップＳ１２に進む。
【００４１】
次に、ステップＳ１２において、第２画像と同一または類似の第１画像を不揮発性メモリ１０６から抽出する処理が実行される。具体的には、上記ステップＳ１１の処理により抽出された第２画像の特徴と、上記ステップＳ２（図７参照）の処理により不揮発性メモリ１０６に登録された全ての第１画像の特徴とをそれぞれ比較して、所定値以上の一致率で特徴が第２画像と一致する第１画像を不揮発性メモリ１０６から抽出する処理が実行される。
【００４２】
なお、上記ステップＳ１２の処理は、所定値以上の一致率で特徴が第２画像と一致する第１画像が見つからなかった場合に上記ステップＳ１１の処理（第２画像に対する特徴抽出処理）に戻るように設定されていてもよい。また、上記ステップＳ１２の処理は、所定値以上の一致率で特徴が第２画像と一致する第１画像の個数が表示部１７に表示可能な数を超えた場合に、閾値となる一致率を大きくして、第１画像の個数をさらに絞り込むように設定されていてもよい。
【００４３】
上記のようなステップＳ１２の処理が実行された後には、ステップＳ１３に進む。そして、ステップＳ１３において、上記ステップＳ１２の処理により抽出された第１画像の関連情報を算出する処理が実行される。すなわち、不揮発性メモリ１０６には、第１画像と、第１画像に関連する関連情報とが互いに対応付けられて登録されているため、このステップＳ１３では、不揮発性メモリ１０６が参照されることにより、上記ステップＳ１２の処理により抽出された第１画像の関連情報が算出される。そして、ステップＳ１４に進む。
【００４４】
次に、ステップＳ１４において、上記ステップＳ１３の処理により算出された関連情報を表示部１７に表示する処理が実行される。これにより、上記図４に示したような画像ＩＭ１や、上記図５に示したような画像ＩＭ２などが表示部１７に表示される。そして、処理が終了する。
【００４５】
以上説明したように、本実施形態では、タブレットコンピュータ１０に、第１画像および関連情報が互いに対応付けられて登録される不揮発性メモリ１０６と、カメラモジュール１０９を介して取得された第２画像と同一または類似の第１画像に対応する関連情報を不揮発性メモリ１０６から抽出し、抽出した関連情報を表示部１７に表示する制御を行うＣＰＵ１０１とが設けられている。すなわち、ＣＰＵ１０１は、不揮発性メモリ１０６に記憶された複数の画像のうち少なくとも１以上の画像に対して、その画像に関連する関連情報を登録するとともに、複数の画像の中の第１画像と、カメラモジュール１０９により撮像される第２画像とが互いに対応する場合に、第１画像の関連情報（第１関連情報）、または、この第１関連情報により取得可能な情報を表示部１７に表示する制御を行うように構成されている。これにより、ユーザが自分で登録した画像群（不揮発性メモリ１０６に記憶された第１画像の群）のみを対象にして関連情報を抽出することができる。
【００４６】
なお、上記実施形態によるタブレットコンピュータ（電子機器）１０は、通常のコンピュータを利用したハードウェア構成となっており、タブレットコンピュータ１０のＣＰＵ１０１により実行されるプログラム（関連情報表示プログラム２０２）は、ＲＯＭやＲＡＭなどからなる不揮発性メモリ１０６に格納されている。そして、このプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、コンピュータで読み取り可能な記録媒体に記録された状態で提供される。上記プログラムは、インターネットなどのネットワークに接続されたコンピュータ上に格納され、ネットワーク経由で提供または配布されるように構成されていてもよい。また、上記プログラムは、ＲＯＭなどに予め組み込まれた状態で提供されるように構成されていてもよい。
【００４７】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００４８】
たとえば、上記実施形態では、第１画像と関連情報とがそれぞれ６個ずつ表示部に表示される例を示したが、表示部に表示される第１画像および関連情報の個数は、７個以上であってもよいし、５個以下であってもよい。
【００４９】
また、上記実施形態では、第１画像（およびその関連情報）が表示部に表示される際のＵＩ（ユーザインターフェース）として、カメラモジュールを介して取得された第２画像と同一または類似の第１画像（およびその関連情報）が第２画像の背景画像として表示部に表示される例（図４参照）や、第２画像が表示されずに第１画像（およびその関連情報）のみが表示部にされる例（図５参照）を示したが、他の実施形態として、第１画像と第２画像との両方が表示部上に一覧表示されるようなＵＩを用いてもよい。すなわち、図９に示したタブレットコンピュータ２０のように、第２画像ＩＭ１１と、第１画像ＩＭ１２〜ＩＭ１５およびこれらの第１画像ＩＭ１２〜ＩＭ１４にそれぞれ対応する関連情報（「ａａａ」〜「ｄｄｄ」という文字列）とが一覧表示された画像ＩＭ４が表示部１７に表示されるようなＵＩを用いてもよい。
【００５０】
また、上記実施形態では、第１画像が有する特徴（第１画像が撮像された日時や、第１画像が撮像された場所など）や、第１画像のアップロード先のアドレス情報を関連情報として表示部に表示させる例を示したが、他の実施形態として、第１画像が撮像された場所を示す地図の画像や、第１画像に含まれる商品の広告ｗｅｂサイトなどを関連情報として表示部に表示させることも可能である。
【符号の説明】
【００５１】
１０、２０  タブレットコンピュータ（電子機器）
１７  表示部
１０１  ＣＰＵ（制御部）
１０６  不揮発性メモリ（記憶部）
１０９  カメラモジュール（撮像部）
【図１】
2015041340.tif 000003
【図２】
2015041340.tif 000004
【図３】
2015041340.tif 000005
【図４】
2015041340.tif 000006
【図５】
2015041340.tif 000007
【図６】
2015041340.tif 000008
【図７】
2015041340.tif 000009
【図８】
2015041340.tif 000010
【図９】
2015041340.tif 000011